(57)【特許請求の範囲】
【請求項１】
板状体の化粧面に形成された凹条部に、インクジェット装置を用いて加飾を行う板状体凹条部の加飾方法であって、
前記板状体は、基材の表面に化粧材を貼着して構成され、該基材が前記凹条部の表面側に露出するように形成されており、
前記凹条部に対して、浅い部位よりも深い部位のほうに、インクの厚みが厚くなるようにインクを重ね塗りして加飾することを特徴とする板状体凹条部の加飾方法。
【請求項２】
板状体の化粧面に形成された凹条部に、インクジェット装置を用いて加飾を行う板状体凹条部の加飾方法であって、
前記板状体は、基材の表面に化粧材を貼着して構成され、該基材が前記凹条部の表面に露出しており、
前記化粧材の厚みが薄いものほど、幅広く加飾することを特徴とする板状体凹条部の加飾方法。
【請求項３】
板状体の化粧面に凹条部が形成され、該凹条部の表面に加飾が施された板状建材であって、
前記板状体は基材の表面に化粧材を貼着して構成され、該基材が前記凹条部の表面側に露出するように形成されており、
前記凹条部には、浅い部位よりも深い部位のほうに厚めの加飾層が複数のインク層の重ね合わせにより形成されていることを特徴とする板状建材。
【請求項４】
板状体の化粧面に凹条部が形成され、該凹条部の表面に加飾が施された板状建材であって、
前記板状体は基材の表面に化粧材を貼着して構成され、該基材が前記凹条部の表面側に露出するように形成されており、
前記凹条部は、前記化粧材の厚みが薄いものほど、幅広く加飾されていることを特徴とする板状建材。
【発明の詳細な説明】
【技術分野】
【０００１】
本発明は、板状体の化粧面に形成された目地溝や面取り部などの凹条部に対して加飾する板状体凹条部の加飾方法、および化粧面に凹条部が形成された板状建材に関する。
【背景技術】
【０００２】
従来、板状体の化粧面に形成された凹条部に加飾を施す方法が多く提案されている（たとえば、特許文献１参照）。この文献技術は、凹条部に対して、インクジェット装置を用いて加飾するものである。よってこの方法によれば、目地溝や面取り部などの凹条部を種々の色、柄に加飾することができる。
【先行技術文献】
【特許文献】
【０００３】
【特許文献１】特開２０１２−２２４００５号公報
【発明の概要】
【発明が解決しようとする課題】
【０００４】
ところで、化粧面として貼り付ける化粧材には突板や化粧シートなど種々のものがある。それらは、おおむね０．５ｍｍ以下と薄いため、加飾する前の板状体の凹条部の表面の下部には基材の一部が露出する。そのため、そのような凹条部に対して少量のインクで薄く加飾しただけでは、化粧面の色、柄とは異なる基材の端面の素材の色（たとえば黒味のある色）、柄が透けて見える基材写りが発生し、化粧面全体の意匠性が損なわれるおそれがある。また、凹条部全体を厚く加飾すれば、想定していた立体感が出せないおそれがある。
【０００５】
さらに、化粧材が薄厚であればあるほど、化粧材が薄くなっている凹条部の上部や化粧材と凹条部との境界では、基材が化粧材を通して透けて見える基材写りが発生するおそれがある。そのような基材写りにより意匠性が損なわれないようにするためには、化粧材が薄くなった上記境界にも確実に加飾する必要がある。
【０００６】
本発明は、このような事情を考慮して提案されたもので、その目的は、化粧面の凹条部に対して工夫して加飾を施すことで、板状建材の化粧面の意匠性を向上させることのできる板状体凹条部の加飾方法およびそのような板状建材を提供することにある。
【課題を解決するための手段】
【０００７】
上記目的を達成するために、本発明の板状体凹条部の加飾方法は、板状体の化粧面に形成された凹条部に、インクジェット装置を用いて加飾を行う板状体凹条部の加飾方法であって、板状体は、基材の表面に化粧材を貼着して構成され、基材が凹条部の表面側に露出するように形成されており、凹条部に対して、浅い部位よりも深い部位のほうに、インクの厚みが厚くなるようにインクを重ね塗りして加飾することを特徴とする。
また、本発明の他の板状体凹条部の加飾方法は、板状体の化粧面に形成された凹条部に、インクジェット装置を用いて加飾を行う板状体凹条部の加飾方法であって、板状体は、基材の表面に化粧材を貼着して構成され、基材が凹条部の表面に露出しており、化粧材の厚みが薄いものほど、幅広く加飾することを特徴とする。
【０００８】
また、本発明の板状建材は、板状体の化粧面に凹条部が形成され、凹条部の表面に加飾が施された板状建材であって、板状体は基材の表面に化粧材を貼着して構成され、基材が凹条部の表面側に露出するように形成されており、凹条部には、浅い部位よりも深い部位のほうに厚めの加飾層が複数のインク層の重ね合わせにより形成されていることを特徴とする。
また、本発明の板状建材は、板状体の化粧面に凹条部が形成され、該凹条部の表面に加飾が施された板状建材であって、板状体は基材の表面に化粧材を貼着して構成され、基材が凹条部の表面側に露出するように形成されており、凹条部は、化粧材の厚みが薄いものほど、幅広く加飾されている。
【発明の効果】
【０００９】
本発明の板状体凹条部の加飾方法によれば、上述の手順となっているいため、できあがった板状建材には基材写りが発生しにくく、それにより意匠性や立体感が損なわれる可能性は低い。
【００１０】
また、本発明の板状体凹条部の加飾方法によれば、上述の手順となっているいため、薄めの化粧材を用いた板状体であっても、凹条部の上部での基材写りをほとんどなくすことができ、製造された板状建材の凹条部を含む化粧面の意匠性を向上させることができる。
【００１１】
本発明の板状建材によれば、上述の構成となっているため、化粧材が薄めのものであっても基材写りが少なく、それにより意匠性や立体感が損なわれる可能性は低い。
【００１２】
また、本発明の板状建材によれば、上述の構成となっているため、凹条部の上部において基材写りがほとんどなく、そのため凹条部を含む化粧面の意匠性を高めることができる。
【図面の簡単な説明】
【００１３】
【図１】本発明の一実施形態に係る板状建材を説明するための図である。（ａ）は平面図、（ｂ）は（ａ）のＡ−Ａ線に対応した拡大縦断面図および要部をさらに拡大した縦断面図、（ｃ）は（ａ）のＢ−Ｂ線に対応した拡大縦断面図である。
【図２】（ａ）（ｂ）は、板状建材の凹条部（目地溝）への加飾態様の２例を示す縦断面図である。
【図３】図１に示した板状建材の凹条部を加飾する方法を説明するための図である。（ａ）は加飾方法を実施するためのインクジェット装置を含む搬送ラインの概略斜視図、（ｂ）（ｃ）は加飾の２例に対応した要部拡大縦断面図である。
【図４】本発明の他の実施形態に係る板状体凹条部の加飾方法を実施するための搬送ラインの部分拡大平面図である。
【図５】本発明のさらに他の実施形態に係る板状体凹条部の加飾方法を実施するための搬送ラインの概略斜視図である。
【図６】本発明のさらに他の実施形態に係る板状体凹条部の加飾方法を実施するための搬送ラインの概略斜視図である。
【図７】本発明のさらに他の実施形態に係る板状体凹条部の加飾方法を実施するための搬送ラインの概略斜視図である。
【図８】本発明のさらに他の実施形態に係る板状体凹条部の加飾方法を実施するためのインクジェット装置の平面図である。
【発明を実施するための形態】
【００１４】
以下に、板状体凹条部の加飾方法および板状体凹条部に加飾が施された板状建材についての実施の形態について説明する。まず、図１を参照しながら、板状建材１の概略構成について説明する。
【００１５】
本板状建材１は、板状体１０の化粧面に目地溝１３や面取り部１４などの凹条部が形成され、その凹条部の表面に加飾が施された建材である。板状体１０は基材１１の表面に化粧材１２を貼着して構成され、基材１１が目地溝１３や面取り部１４などの凹条部の表面側に露出するように形成されている。この凹条部には、浅い部位よりも深い部位のほうに厚めの加飾層１７が形成されている。
【００１６】
板状建材１は、たとえば床材などに用いられる建材である。板状建材１を形成するための基体としては、化粧面を有した矩形の板状体１０が用いられる。板状体１０は、合板などよりなる木質系の基材１１と、その基材１１の表面に貼着された化粧面を形成するための化粧材１２とを備えている。また、板状体１０の四周には、床下地上で建材同士を連設するための実部が形成されている。図１（ａ）に示すように、雄実部１１ａ、１１ａが２辺の外側に突出している。
【００１７】
以下の実施形態では、化粧材１２として、複数のフリッチ材を集成し、０．２０ｍｍ〜０．４５ｍｍ程度の厚さにスライスして形成した集成化粧材が用いられている。化粧材１２は複数の木質素材が集成してあるため、床材として設置したときには、異なる色、柄の化粧材１２ａ、１２ａを個別に敷き詰めたようになる。
【００１８】
このように、本実施形態の板状建材１は、隣り合う化粧材１２ａ、１２ａの化粧面の色、柄などが相互に異なる板状体１０を用いて構成されている。なお以下では、個別の化粧材については「化粧材１２ａ」と表記し、板状体１０の全表面に対応した化粧材については「集成化粧材１２」と表記する。
【００１９】
この集成化粧材１２の化粧面には、図１（ａ）に例示したように、個々の化粧材１２ａ、１２ａ間の境界に目地溝１３が形成してある。また、板状建材１の表面側の角部には面取り部１４が形成してある。なお、この化粧材１２は複数列（図例では３列）よりなり、さらにそれぞれの列は種々の長さの化粧材１２ａ、１２ａよりなる。
【００２０】
ついで、図１にもとづいて、板状建材１の詳細について説明する。
【００２１】
図１（ａ）に示すように、目地溝１３のうち、長手方向に形成された列方向の溝が縦溝であり、同列内の化粧材１２ａ、１２ａを区切る溝が横溝である。これらの目地溝１３、１３はいずれも、図１（ｂ）に示すように、溝底１３ｃが尖鋭形状となっており、その溝底１３ｃの両側には対称的な断面形状となった溝領域１３ｂ、１３ｂが形成されている。また、面取り部１４は、目地溝１３の一方の溝領域１３ｂとおおむね同様の断面形状となっている。
【００２２】
目地溝１３および面取り部１４は、化粧材１２の厚みよりも深く掘り込まれているため、加飾する前の目地溝１３の溝領域１３ｂ、１３ｂおよび面取り部１４の上側には個々の化粧材１２ａ、１２ａの傾斜端面が表れ、下側には基材１１の傾斜端面が表れている。
【００２３】
目地溝１３および面取り部１４などの凹条部は、縦断面がいずれも斜め上方向にアール状に膨出した形状となっており、それらの表面にはインクによる加飾が施されている。なお、目地溝１３への加飾は、後述するインクジェット装置３０（図３参照）による方法や、その他種々の方法でなされればよい。
【００２４】
図１（ｂ）に示すように、目地溝１３の両溝領域１３ｂ、１３ｂの表面にはインクによる加飾層１７が形成されている。その加飾層１７は、表面側の浅い部位が薄く、溝底１３ｃ近傍の深い部位が厚くなっている。本図例のものでは、溝底１３ｃ側の加飾層１７は、図１（ｂ）の拡大図に示すように、複数のインク層１７ａ、１７ａが重なって厚くなっている。このインク層１７ａ、１７ａの重ね合わせ層構造は、インクの重ね塗り（インクの複数回吐出）によるものであるが、重ね塗りではなく、一度のインクの吐出量を異ならせることで薄め、厚めの加飾層１７が形成されたものでもよい。
【００２５】
また、面取り部１４についても、図１（ｃ）に示すように加飾層１７は深い部位が浅い部位よりも厚く形成されている。面取り部１４の加飾層１７についても、その厚い部分は、目地溝１３と同様に複数のインク層１７ａ、１７ａ（図１（ｂ）参照）よりなる構成であってもよいし、たんにインクの吐出量により厚くなったものでもよい。
【００２６】
ここで、目地溝１３や面取り部１４における深い部位とは、すくなくとも化粧材１２、基材１１間の境界線１９（図１（ｂ）（ｃ）および図４など参照）を含む凹条部内の下部領域をいう。
【００２７】
このように、凹条部に加飾が施されているため、化粧材１２ａや基材１１の傾斜端面は露出しない。特に、凹条部の化粧材１２、基材１１間の境界線１９を含む下部に厚めの加飾層１７が形成されているため、化粧材１２ａ、基材１１間の境界線１９および、化粧面の色、柄とは異なる色、柄を有した基材１１の傾斜端面は露出しにくく、基材写りは発生しにくい。そのため、想定していた意匠性や立体感を創出することができる。また、凹条部の全体を厚く加飾しなくてもよいため、多くの量のインクを使用しなくてもよい。
【００２８】
なお、厚めの加飾層１７を形成する箇所は、その目的が上述したものであるため、化粧材１２の厚みを考慮して種々異ならせればよい。種々の厚みの集成化粧材１２を用いたものに対応できるように、あらゆる板状建材１に共通的に、化粧材１２の厚みの下限値を考慮した値（たとえば表面から０．１５ｍｍ）よりも深い部位に厚めの加飾層１７を形成してもよい。
【００２９】
また、集成化粧材１２の厚みによって、表面側の加飾の態様も異ならせるようにしてもよい。すなわち、集成化粧材１２が薄いものほど、幅広く加飾されていることが望ましい。図２（ａ）（ｂ）の例は、目地溝１３の幅が同じであっても、集成化粧材１２が薄いもの（図２（ａ）参照）のほうが、厚いもの（図２（ｂ）参照）よりも幅広く加飾されている。
【００３０】
具体的には、たとえば集成化粧材１２の厚みが所定値（たとえば０．３５ｍｍ）未満の板状建材１は、図２（ａ）のように、目地溝１３と化粧面との境界１５を化粧面側に超えて加飾が施されている。また、集成化粧材１２の厚みが所定値（上記の値）以上の板状建材１は、図２（ｂ）のように、目地溝１３と化粧面との境界１５を超えないように加飾が施されている。
【００３１】
このように、化粧材１２の厚みが薄いものほど凹条部に対して幅広く加飾が施されているため、凹条部の上部において、化粧材１２が薄くなっている部分（特に境界１５）で基材１１が透けて見える基材写りを防止することができる。
【００３２】
もちろん、集成化粧材１２の厚みに関係なく、どのような厚みのものでも、基材写りを確実に防止するために、目地溝１３と化粧面との境界１５を超えて加飾が施されていてもよい。すくなくとも集成化粧材１２の厚みが薄いものほど、幅広く加飾が施されていればよい。
【００３３】
このように、目地溝１３に対して、目地溝１３と化粧面との境界１５を超えて加飾が施され、つまり化粧面側にはみ出て加飾されているものでは、境界１５があまり目立たず、目地溝１３をどのような色、柄で加飾したものでも意匠性が悪くならない。
【００３４】
なお、凹条部の加工の精度や凹条部の加飾の方法によっては、加飾がなされない境界１５が目立つ場合があるが、境界１５に確実に加飾が施されていると、境界１５は目立たない。また、目地溝１３の傾斜面を湾曲面ではなく平面に形成したものでは、湾曲面としたものより境界１５が目立つが、そのようなものでも、目地溝１３と化粧面との境界１５を超えて加飾されていれば、境界１５の目立ちを軽減することができる。なお、これらの効果は、面取り部１４についても同様である。
【００３５】
つぎに、板状体１０の凹条部への加飾方法について、図３〜図８を参照しながら説明する。なお、以下の種々の実施形態に係る加飾方法は、目地溝１３や面取り部１４への加飾が、それに隣接する化粧材１２ａの色、柄に合わせてなされるようになっているが、これには限定されず、どのような色、柄の加飾がなされるようにしてもよい。
【００３６】
これらの図に示した板状体凹条部の加飾方法は、板状体１０の化粧面に形成された目地溝１３や面取り部１４などの凹条部に、インクジェット装置３０を用いて加飾を行う方法である。なお、図６および図７に示した加飾方法は凹条部形成工程も含んだものである。
【００３７】
まず、図１に示した板状建材１についての目地溝１３への加飾方法について、図３および図４を参照しながら説明する。
【００３８】
この板状体凹条部の加飾方法は、板状体１０の化粧面に形成された凹条部に、インクジェット装置３０を用いて加飾を行う加飾方法である。板状体１０は、基材１１の表面に化粧材１２を貼着して構成され、基材１１が凹条部の表面側に露出するように形成されている。そして、この加飾方法では、図３（ｂ）（ｃ）や図４に示すように、凹条部に対して、浅い部位よりも深い部位のほうに、インクの厚みが厚くなるように加飾するようになっている。
【００３９】
図３は、目地溝１３の加飾工程に用いられる装置を模式的に示した斜視図である。この加飾工程は、目地溝１３および面取り部１４が形成された板状体１０が搬送ライン（搬送装置２０）により搬送されながら、凹条部に加飾が施される工程である。
【００４０】
搬送ラインには、加飾を施すためのインクジェット装置３０が配されている。このインクジェット装置３０は、凹条部に対して加飾を行う前に、加飾情報として、凹条部の位置、幅と、凹条部に隣接する化粧材１２ａの色、柄とを搬送ライン上で取得する構成となっている。
【００４１】
なお、図３および後述する図５〜図７には、搬送ライン上に複数の板状体１０が搬送されているように示してあるが、白抜き矢印を付記してあるように、これらは１つの板状体１０の流れを示したものである。
【００４２】
インクジェット装置３０は、図３に示すように、インクをインクノズル３１ａより吐出して目地溝１３を加飾するインクジェットヘッド３１と、その上流側に設置された化粧面画像を検出するための画像センサ３２とを備えている。
【００４３】
このインクジェット装置３０は、搬送ラインの所定の位置に固定され、移動する搬送装置２０上に載せられて移動する板状体１０に対して加飾を施すことのできる装置である。インクジェットヘッド３１は、複数のインクノズル３１ａ、３１ａを有し、それらは搬送ラインを横切るように移動制御される。なお、インクジェットヘッド３１、画像センサ３２などを制御する制御部については、図示を省略した（図５〜図７においても同様）。
【００４４】
画像センサ３２は、たとえばレーザ変位計や撮像素子（ＣＣＤ）を用いたセンサであり、板状体１０の表面の凹条部の位置、幅の加飾情報を、搬送ライン上で移動する板状体１０より取得する。そして、画像センサ３２で取得した加飾情報はインクジェットヘッド３１に入力される。なお、本実施形態のインクジェット装置３０は、凹条部に隣接する化粧面の色、柄に合わせて凹条部に加飾を施すものである。そのために、画像センサ３２は化粧材１２ａの色、柄なども検出しているが、目地溝１３に対して特定の色、柄を加飾するものでは、化粧材１２ａの色、柄を検出しなくてもよい。
【００４５】
このように、インクジェット装置３０は、すくなくとも、加飾情報として目地溝１３や面取り部１４の位置、幅などを搬送ライン上で取得し、その情報にもとづいて目地溝１３や面取り部１４に加飾を施す構成となっている。
【００４６】
具体的には、インクジェットヘッド３１は、目地溝１３については、画像センサ３２で取得した目地溝１３の位置、幅にもとづいて目地溝１３と化粧材１２ａとの境界１５、１５を把握する。そして、インクジェットヘッド３１は、同時に取得した化粧材１２ａ、１２ａの色、柄にもとづいて目地溝１３に加飾を施す。面取り部１４についてもおおむね同様であり、化粧材１２ａとの境界１５を画像センサ３２で検出すればよい。
【００４７】
図３（ｂ）に示した例は、複数のインクノズル３１ａ、３１ａ、３１ａを用いて、目地溝１３内の深い部位には多量のインクを吐出する一方、浅い部位には少量のインクを吐出することで、深い部位に厚めの加飾層１７（図１参照）を形成するようになっている。また、図３（ｃ）に示すように、インクノズル３１ａが、溝幅間を移動しながら、深い部位に厚めの加飾層１７を形成できるようにしてもよい。
【００４８】
なお、図３（ｂ）では深い部位と、その両隣の浅い部位とに３つのインクノズル３１ａでインクを吐出するように図示してあるが、これはイメージ図である。したがって、部位ごとに複数のインクノズル３１ａで対応するようにしてもよい。また、図３（ｃ）の例についても、複数のインクノズル３１ａが溝幅間を移動しながらインクを吐出する構成としてもよい。さらに、複数の目地溝１３に対して、搬送を一時的に止め、共通のインクノズル３１ａを移動させて吐出するようにしてもよい。
【００４９】
また、図４に示すように、搬送ラインに沿って複数のインクジェットヘッド３１、３１を部位（深い部位とその両隣の浅い２つ部位）ごとに並設して、加飾を施すようにしてもよい。なお、加飾が施されていない状態では、図４の左側の拡大図に示すように、溝底１３ｃの両側には化粧材１２ａと基材１１との境界線１９が表れている。
【００５０】
この方法では、上流側のインクジェットヘッド３１で目地溝１３内の深い部位（すくなくとも境界線１９、１９を含む中央部Ｘ）にインクを吐出する（図４の中央の拡大図参照）。そして、下流側のインクジェットヘッド３１で目地溝１３の幅全体にインクを吐出する（図４の右側の拡大図参照）。このようにして、図４の右側の拡大図でクロスハッチングが付されているように、中央部Ｘを重ね塗りすることで複数のインク層１７ａ、１７ａ（図１（ｂ）参照）を形成でき、厚めの加飾を施すことができるようになっている。
【００５１】
このように複数のインクジェットヘッド３１を並設して加飾する方法は、板状体１０の幅寸法（たとえば、３００ｍｍ程度）よりも小さい寸法のインクジェットヘッド３１を用いる場合にも有効である。すなわち、そのような場合には、当然に１台のインクジェットヘッド３１ではカバーできないが、複数台のインクジェットヘッド３１を並設することで、板状体１０の幅寸法の全長分をカバーすることができる。
【００５２】
なお、面取り部１４の加飾についても目地溝１３への加飾と同様であり、図４に示した装置で目地溝１３の加飾と同時に加飾することができる。
【００５３】
このような加飾方法によれば、薄めの集成化粧材１２を用いて基材１１が凹条部に露出していても、その部分に十分に厚い加飾が施されるため、できあがった板状建材には基材写りが発生しにくく、それにより意匠性や立体感が損なわれる可能性は低い。
【００５４】
また、図３、図４に示した加飾方法において、図２（ａ）に示したような板状建材１を生成するために、凹条部と化粧面との境界１５を超えるように凹条部に加飾を施してもよい。
【００５５】
図２（ａ）（ｂ）に示すような、化粧材１２の厚みに応じた加飾ができるように、インクジェット装置３０は、インクノズル３１ａの移動制御を化粧材１２の厚みに応じて異ならせるようにすればよい。つまり、図２（ａ）のように、化粧材１２の厚みが薄いものに加飾する場合は、インクジェット装置３０は目地溝１３の境界１５を超えるようにインクノズル３１ａを制御すればよい。
【００５６】
このように、この加飾方法は、表面に集成化粧材１２を貼着した基材１１が凹条部の表面に露出しており、集成化粧材１２の厚みが薄いものほど、凹条部に対して、幅広く加飾する構成にもなっている。
【００５７】
たとえば、このような加飾をするために、集成化粧材１２の厚みが所定値未満の場合には、凹条部に凹条部と化粧面との境界１５を超えるように加飾し、化粧材１２の厚みが所定値以上の場合には、凹条部に境界１５を超えないように加飾するようにしてもよい。
【００５８】
このような集成化粧材１２の厚みを判別するために、インクジェット装置３０（画像センサ３２）が、たとえば平面視における目地溝１３内の境界部１９の位置を検出することで化粧材１２の厚みを検出すればよい。また、搬送する板状体１０の化粧材１２の厚み情報をあらかじめインクジェット装置３０に入力しておいてもよい。
【００５９】
このような加飾方法を実施することで、化粧材１２が薄いことによる境界１５近傍での基材写りの発生を防止することができる。また、境界１５を超えて加飾を施すようにすれば、つまり化粧面側の印刷限界を境界１５を超えた位置に設定すれば、境界１５の色、柄が薄くなっていても、その部分を加飾により補修することができる。特に、凹条部の加工の精度によっては境界１５が剥げて目立つおそれがあるが、境界１５に加飾を施すことで境界１５が目立たなくすることができる。
【００６０】
また、凹条部に対して白地などの下地塗りを行う場合も、図４に示した並設態様のものと同様に、インクジェットヘッド３１を並設すればよい。たとえば図５に示すように、加飾用のインクジェットヘッド３１の上流側に、下地塗り用のインクジェットヘッド３３を配設すればよい。なお、下地塗りは、このような態様に限られず、搬送ラインの上流の別工程で実施されるようにしてもよい。
【００６１】
以上に説明した、図３、図４に示した加飾方法は、あらかじめ目地溝１３が形成された板状体１０に対して加飾を施すものであるが、目地溝１３や面取り部１４などの凹条部の形成も加飾の直近上流側で行うようにしてもよい。なお、図６、図７の例は、面取り部１４についてはあらかじめ形成されている。
【００６２】
たとえば、インクジェットヘッド３１の直近上流側に目地加工装置を設置し、その目地加工装置が、さらに上流側に設置した画像センサ３２から加飾情報を受け取って目地溝１３を形成するようにすればよい。この加飾情報には、目地溝１３形成前における化粧材１２、１２間の境界線１９の位置情報が含まれていればよい。目地幅については、インクジェットヘッド３１に目地溝１３を加工する目地加工装置ごとの値を保存しておけばよい。また、面取り部１４については、図２の例と同様、加飾情報に面取り部１４の位置、幅を加飾情報として含ませればよい。
【００６３】
目地加工装置としては、切削工具３５（図６参照）やレーザ加工機３６（図７参照）、切削加工ヘッド（不図示）などが用いられる。なお、図６、図７に示すように、縦溝のみの目地溝１３を切削する場合は切削工具３５を用いてもよく、縦溝と横溝が混在する目地溝１３を切削する場合はレーザ加工機３６を用いることが望ましい。
【００６４】
以上では、目地溝１３のおもに縦溝に対する例を説明したが、横溝に対しても図２、図６、図７に示した加飾方法で加飾することができることはいうまでもない。
【００６５】
また以上には、搬送ライン（搬送装置２０）で移動する板状体１０に加飾する方法を示したが、板状体１０を固定し、その板状体１０に対してインクジェットヘッド３１を移動させながら加飾する方法をとってもよい。図８は、そのような加飾方法を実施できるインクジェット装置３０の平面図である。
【００６６】
このインクジェット装置３０は、印刷テーブル２５に加飾対象である板状体１０を載せ置いて使用するものである。このインクジェット装置３０は、印刷テーブル２５に固定された板状体１０の凹条部に対して加飾を施すインクジェットヘッド３１と、板状体１０の化粧面画像を検出するためのＣＣＤラインセンサなどで構成された画像センサ３２とを備えている。なお、符号３９はインクジェットヘッド３１および画像センサ３２を制御する制御部である。
【００６７】
インクジェットヘッド３１および画像センサ３２は、図８に示すように、印刷テーブル２５の短手方向Ｘに架け渡すように設置され、それぞれが長手方向Ｙに移動できるようになっている。
【００６８】
まず、画像センサ３２が長手方向Ｙに沿って移動しながら板状体１０の化粧面画像を検出し、板状体１０の表面の目地溝１３、面取り部１４の位置、幅および化粧材１２の色、柄などの加飾情報をインクジェットヘッド３１に送出する。その後、インクジェットヘッド３１は、長手方向Ｙに沿って移動しながら加飾情報にもとづいて、板状体１０の目地溝１３、面取り部１４に加飾を施す。
【００６９】
以上、図２や図８などで説明したように、ライン型のインクジェットヘッド３１を用いる場合、インクジェットヘッド３１に対して板状体１０を相対移動させながら目地溝１３に加飾を施すようにすることが望ましいが、他の方式を採用してもよい。
【符号の説明】
【００７０】
１          板状建材
１０        板状体
１１        基材
１２        （集成）化粧材
１２ａ      化粧材
１３        目地溝（凹条部）
１４        面取り部（凹条部）
１５        境界
１７        加飾層
３０        インクジェット装置
【図１】
0006440112.tif 000002
【図２】
0006440112.tif 000003
【図３】
0006440112.tif 000004
【図４】
0006440112.tif 000005
【図５】
0006440112.tif 000006
【図６】
0006440112.tif 000007
【図７】
0006440112.tif 000008
【図８】
0006440112.tif 000009